(57)【要約】【課題】プロジェクタの動画像をスクリーンに表示する際の動画ボケ対処をスクリーンの側で行う。【解決手段】反射型スクリーン１００は、平行配置された第１ローラ１０１と第２ローラ１０２にスクリーンベルト１１０を掛け渡し、第１ローラ１０１と第２ローラ１０２の間においてスクリーン領域ＳＫを形成する。スクリーンベルト１１０は、ベルト表面に到達した光（プロジェクタ１０の投写光）を反射する機能を発揮するよう白地の無端ベルトとされており、ベルト幅方向に亘って帯状の帯状域１１２と、この帯状域１１２を除く残余領域１１４とを備える。帯状域１１２は黒色或いはこれに近似した色で着色された着色域でありベルト表面に到達した光を吸収する機能を発揮する。よって、反射型スクリーン１００は、投写光が達しても動画像を表示しない帯状域１１２をスクリーン領域ＳＫにおいて移動させる。【選択図】図１
2008083583.tif 000002
【特許請求の範囲】
【請求項１】
映像信号を走査出力して得られる動画像を投写するプロジェクタと併用され、該プロジェクタが前記動画像を投写する際に発する投写光が到達することで前記動画像を表示するプロジェクタ用スクリーンにおいて、
長尺状のローラを平行に配置したローラ対を少なくとも備えるローラ群と、
該ローラ群の各ローラに掛け渡されてループ軌跡を形成する無端ベルトからなるスクリーンベルトであって、前記ローラ対の間における前記ループ軌跡において前記動画像を表示するスクリーン領域を形成するスクリーンベルトと、
該スクリーンベルトを前記ループ軌跡に沿って前記スクリーン領域の上端側から下端側に巻き取るよう、前記ローラ群のローラを駆動制御するローラ駆動制御手段とを備え、
前記スクリーンベルトは、
前記無端ベルトの幅方向に亘って帯状に形成された帯状域と、該帯状域を除く残余領域とを備え、
前記帯状域は、到達した前記投写光を動画像の看者に届かないようにする性質を備え、
前記残余領域は、到達した前記投写光を前記看者の側に至らしめる性質を備える
プロジェクタ用スクリーン。
【請求項２】
請求項１記載のプロジェクタ用スクリーンであって、
前記ローラ駆動制御手段は、
前記プロジェクタから前記映像信号の走査出力の状況を表す走査状況信号の入力を受け、或いは前記プロジェクタに入力される映像信号を等価に分配した映像信号から走査出力の状況を表す走査状況信号を作成し、該走査状況信号に基づいて前記ローラ群のローラを駆動制御して、前記帯状域を前記映像信号の走査出力に同期させて前記スクリーン領域において移動させる
プロジェクタ用スクリーン。
【請求項３】
請求項１または請求項２記載のプロジェクタ用スクリーンであって、
前記スクリーンベルトの前記残余領域は、光の透過或いは光の反射の機能を発揮することで前記投写光を看者の側に至らしめ、
前記スクリーンベルトの前記帯状域は、光を吸収する機能を発揮することで前記投写光を前記看者に届かないようにする
プロジェクタ用スクリーン。
【請求項４】
請求項１ないし請求項３いずれかに記載のプロジェクタ用スクリーンであって、
前記プロジェクタが前記動画像を投写する際に発する投写光を反射する反射ミラーを備え、
前記ローラ群は、前記ローラ対の間の前記スクリーンベルトが形成する前記スクリーン領域を前記反射ミラーの反射した反射光が到達するよう前記反射ミラーに対向させ、前記ローラ対に到るまでの前記ループ軌跡を前記反射ミラーの背面を通りつつ前記プロジェクタからの前記投写光を遮らない軌跡となるようにし、
前記スクリーンベルトの前記残余領域は、光の透過機能を発揮して前記反射ミラーから到達した前記反射光を透過させる
プロジェクタ用スクリーン。
【請求項５】
請求項４記載のプロジェクタ用スクリーンであって、
筐体を備え、
該筐体の背面の側に、前記反射ミラーを配し、
前記筐体の前面の側に前記ローラ対を配置して、前記筐体の前面の側において前記スクリーン領域を形成する範囲の前記スクリーンベルトを前記反射ミラーに対向させた
プロジェクタ用スクリーン。
【請求項６】
請求項１ないし請求項５いずれかに記載のプロジェクタ用スクリーンであって、
前記スクリーンベルトは、前記帯状域を前記ループ軌跡において等間隔に複数箇所に備える
プロジェクタ用スクリーン。
【請求項７】
投写システムであって、
映像信号を走査出力して得られる動画像を投写するプロジェクタと、
該プロジェクタが前記動画像を投写する際に発する投写光を受けて動画像を表示する請求項１ないし請求項５のいずれかに記載のプロジェクタ用スクリーンとを備える
投写システム。
【請求項８】
映像信号を走査出力して得られる動画像を投写するプロジェクタであって、
該プロジェクタを収納する筐体と、
該筐体の背面の側に配置され、前記プロジェクタが前記動画像を投写する際に発する投写光を反射する反射ミラーと、
前記筐体の前面の側において長尺状のローラを平行に配置したローラ対を備えてループ軌跡を形成するためのローラ群であって、前記ローラ対に到るまでの前記ループ軌跡が前記収納されたプロジェクタの下方と前記反射ミラーの背面を通る軌跡となるようにする背面側ローラを有するローラ群と、
該ローラ群の各ローラに掛け渡されて前記ループ軌跡を形成する無端ベルトからなるスクリーンベルトであって、前記筐体の前面の側における前記ローラ対の間の前記ループ軌跡において前記反射ミラーの反射した反射光が到達するスクリーン領域を形成するスクリーンベルトと、
該スクリーンベルトを前記ループ軌跡に沿って前記スクリーン領域の上端側から下端側に巻き取るよう、前記ローラ群のローラを駆動制御するローラ駆動制御手段とを備え、
前記スクリーンベルトは、
前記無端ベルトの幅方向に亘って帯状に形成された帯状域と、該帯状域を除く残余領域とを備え、
前記帯状域は、到達した前記反射光を吸収する性質を備え、
前記残余領域は、到達した前記反射光を透過させる性質を備え、
前記ローラ駆動制御手段は、
前記プロジェクタから、前記映像信号の走査出力の状況を表す信号の入力を受け、該信号に基づいて前記ローラ群のローラを駆動制御して、前記帯状域を前記映像信号の走査出力に同期させて前記スクリーン領域において移動させる
プロジェクタ。
【請求項９】
請求項９記載のプロジェクタであって、
前記スクリーンベルトは、前記帯状域を前記ループ軌跡において等間隔に複数箇所に備える
プロジェクタ。
【発明の詳細な説明】
【技術分野】
【０００１】
本発明は、映像信号を走査出力して得られる動画像を投写するプロジェクタと、プロジェクタが動画像を投写する際に発する投写光を透過させる或いは該投写光を反射させることで動画像を表示するプロジェクタ用スクリーンに関する。
【背景技術】
【０００２】
スクリーンは、プロジェクタが映像信号を走査出力して得た動画像を表示するものであることから、表示画像の品質向上のため種々の提案がなされている（例えば、特許文献１）。
【０００３】
上記した特許文献で提案されているスクリーンは、その反射率を可変にすることで室内照明光の写り込みを防止して表示画像の画質向上をもたらすものの、動画像を表示する場合に固有のいわゆる動画ボケの抑制もしくは解消には何ら寄与していない。動画像表示の際には、一般にフレームごとに画像が推移していき、看者はその画像推移を見続けることで動画像を認識する。こうしたフレームごとの画像推移を見る場合、人間の網膜には画像の残像が残ることから、この残像に次の画像が重なって動画像がぼやけ、これにより動画ボケが生じる。こうした動画ボケによる品質低下は、室内照明光の写り込みによる品質低下と全く異質なものであることから、既述したように特許文献１で提案されたスクリーンでは、動画ボケの抑制もしくは解消を図ることはできないのである。
【０００４】
その一方、動画ボケの抑制もしくは解消を、動画像を生成する装置の側で達成する技術も提案されている（例えば、特許文献２）。この特許文献では、フレームごとの画像推移の間において、固定レベル(例えば、黒レベル)の信号による黒画像を瞬時に表示して残像を防止し、これを持って動画ボケの抑制や解消を図っている。なお、上記特許文献は液晶表示装置について適用しているが、動画像を得る点ではプロジェクタにあっても同様であることから、プロジェクタでの動画像生成においてこの特許文献の技術を適用することで、プロジェクタの投写光をスクリーンに当てて表示した動画像での動画ボケの抑制や解消にも効果があると予想される。
【０００５】
【特許文献１】特開２００３−１２１９４３号公報
【特許文献２】特開２００６−１０６６８９号公報
【発明の開示】
【発明が解決しようとする課題】
【０００６】
しかしながら、既存のプロジェクタの側でこうした動画ボケに対処を図るには、プロジェクタが画像生成のために有する他の制御機器や回路構成との整合を採る必要があるため、大がかりな改造や回路変更を必要とする。新規製品であれば、動画ボケ対処を加味した設計変更や製造設備変更も必要となる。
【０００７】
本発明は、上記問題点を解決するためになされ、プロジェクタの動画像をスクリーンに表示する際の動画ボケ対処を行う新たな手法を提供することをその目的とし、より詳しくは、動画ボケ対処が可能な新たなスクリーンを提供することをその目的とする。
【課題を解決するための手段】
【０００８】
かかる課題の少なくとも一部を解決するため、本発明のプロジェクタ用スクリーンは、映像信号を走査出力して得られる動画像を投写するプロジェクタと併用するに当たり、該プロジェクタが前記動画像を投写する際に発する投写光が到達することで前記動画像を表示するスクリーン領域を無端ベルトからなるスクリーンベルトで形成する。このスクリーンベルトは、長尺状のローラを平行に配置したローラ対を少なくとも備えるローラ群の各ローラに掛け渡されてループ軌跡を形成し、前記ローラ対の間における前記ループ軌跡においてスクリーン領域を形成する。このスクリーンベルトは、前記ローラ群のローラを駆動制御するローラ駆動制御手段により、前記ループ軌跡に沿って前記スクリーン領域の上端側から下端側に巻き取られる。
【０００９】
こうように巻き取られるスクリーンベルトは、無端ベルトの幅方向に亘って帯状に形成された帯状域と、該帯状域を除く残余領域とを備え、帯状域を、到達した前記投写光を動画像の看者に届かないようにする性質とし、残余領域を、到達した前記投写光を看者の側に至らしめる性質のものとする。このため、既述したようにスクリーンベルトがループ軌跡に沿って巻き取られると、帯状域がスクリーン領域において上端側から下端側に移動することになり、上記性質を備えた上で移動する帯状域は、スクリーン領域における動画像を看者に視認させないようにする。その一方、移動する帯状域以外の残余領域は、到達した前記投写光を受けて動画像を表示し、看者に動画像を視認させる。
【００１０】
よって、本発明のプロジェクタ用スクリーンでは、既述したようなフレームごとの画像投写の間に、このフレーム画像の総てを看者に視認させつつ当該フレーム画像の一部分の画像部分を変えながら当該画像部分を看者に視認させないようにする。このため、本発明のプロジェクタ用スクリーンによれば、画像を視認している看者に当該画像が視認されないようにして網膜の残像を抑制することを、スクリーンの側で単独で達成できる。この結果、本発明のプロジェクタ用スクリーンによれば、プロジェクタの動画像をスクリーンに投写して表示する際の動画ボケ対処が可能な新たなスクリーンを提供することができる。つまりは、動画ボケの抑制或いは解消による動画像表示品質の向上を図るに際し、既存のプロジェクタの改造や回路変更が不要となるので、容易に動画表示品質を向上できる。また、スクリーンベルトをループ軌跡に沿って駆動（巻き取り）すればよいことから、プロジェクタの側での動画像生成および投写光照射の方式に依存しないので、汎用性が高まる。
【００１１】
この場合、スクリーンベルトをループ軌跡に沿って駆動（巻き取り）させるに当たり、前記プロジェクタから前記映像信号の走査出力の状況を表す走査状況信号の入力を受け、或いは前記プロジェクタに入力される映像信号を等価に分配した映像信号から走査出力の状況を表す走査状況信号を作成し、該走査状況信号に基づいて前記ローラ群のローラを駆動制御して、前記帯状域を前記映像信号の走査出力に同期させて前記スクリーン領域において移動させることができる。こうすれば、フレームごとの画像推移の間に画像を表示しないようにして網膜の残像を抑制することの実効性が高まるので、動画像表示品質の向上の上で好ましい。
【００１２】
そして、前記スクリーンベルトの前記残余領域にて、光の透過或いは光の反射の機能を発揮することで前記投写光を看者の側に至らしめ、前記スクリーンベルトの前記帯状域にて、光を吸収する機能を発揮することで前記投写光を前記看者に届かないようにするようにできる。こうすれば、スクリーンベルトの残余領域がその発揮する光の透過或いは光の反射の機能により、スクリーン領域において、当該残余領域に該当する範囲で動画像を表示する。その一方、スクリーンベルトの帯状域が発揮する光の吸収機能により、スクリーン領域において、当該帯状域に該当する範囲で動画像の表示を行わないようにし、動画像の表示を行わない範囲を移動させる。
【００１３】
上記した本発明のプロジェクタ用スクリーンは、種々の態様を採ることができる。例えば、前記プロジェクタが前記動画像を投写する際に発する投写光を反射する反射ミラーを備えるものとし、その上で、前記ローラ対の間の前記スクリーンベルトが形成する前記スクリーン領域を、前記反射ミラーの反射した反射光が到達するよう前記反射ミラーに対向させ、前記ローラ対に到るまでの前記ループ軌跡を前記反射ミラーの背面を通りつつ前記プロジェクタからの前記投写光を遮らない軌跡となるようにする。そして、前記スクリーンベルトの前記残余領域を、光の透過機能を発揮して前記投写光を看者の側に至らしめるものとできる。こうすれば、プロジェクタからスクリーンベルトに到るまでの投写光の光路長を確保した上で、光路を屈曲できるので、スクリーンベルトとプロジェクタの近接配置が可能となり、省スペース化が可能となる。
【００１４】
この場合、筐体の背面の側に前記反射ミラーを配し、前記筐体の前面の側に前記ローラ群の前記ローラ対を配置して、前記筐体の前面の側において前記スクリーン領域を形成する範囲の前記スクリーンベルトを前記筐体の前面の側で前記反射ミラーに対向させるようにできる。こうすれば、プロジェクタからスクリーンベルトに到るまでの投写光の光路が筐体で囲まれることから、照明光等を投写光の光路に入り込まないようにできるので、輝度確保の上で好ましい。また、反射ミラーと筐体前面側のスクリーンベルトとの位置関係も筐体により固定されることから、焦点合わせ等が簡略化されると共に、取扱も簡便となる。
【００１５】
また、帯状域を前記ループ軌跡において等間隔に複数箇所に備えるスクリーンベルトとすることもできる。こうすれば、スクリーンベルトを一定速度で駆動すれば、所定期間（例えば、フレーム画像の表示期間）ごとに帯状域をスクリーン領域で移動できる。しかも、複数箇所に帯状域を設けた分、スクリーンベルトの駆動速度（巻き取り速度）を低減しても、所定期間（例えば、フレーム画像の表示期間）ごとにスクリーン領域での帯状域の移動を確保できるので、ローラの駆動源の負荷の軽減や消音化を図ることができる。
【００１６】
この他、本発明は、スクリーンと筐体を介して一体としたプロジェクタとしても適用でき、その形態としては、プロジェクタを収納した筐体に、その背面側に反射ミラーを、前面側にスクリーンを配したいわゆるリアプロジェクタがある。
【発明を実施するための最良の形態】
【００１７】
以下、本発明の実施の形態について、その実施例をスクリーンの性質で分けつつ次の順序で説明する。
【００１８】
Ａ：反射型スクリーンの態様；
Ｂ：透過型スクリーンの態様；
【００１９】
Ａ：反射型スクリーンの態様；
図１は本発明の一実施例としての反射型スクリーン１００とこのスクリーンに投写するプロジェクタ１０とを併記して示す説明図、図２は反射型スクリーン１００に動画像を投写している使用状態の様子を示す説明図、図３はプロジェクタ１０の映像信号の走査出力と反射型スクリーン１００の状態とを関連付けて示す説明図である。
【００２０】
図１に示すように、プロジェクタ１０と反射型スクリーン１００とは、対向配置される。プロジェクタ１０は、映像信号を走査出力して得られる動画像を投写するよう構成され、動画像の投写に当たり、投写光を反射型スクリーン１００に向けて発する。反射型スクリーン１００は、到達した投写光により動画像を表示し、その表示動画像の投写光を、反射型スクリーン１００をプロジェクタ１０の側から見つめる看者に向けて反射させることで、表示した動画像を看者に視認させる。
【００２１】
反射型スクリーン１００は、図示するように長尺状の第１ローラ１０１と第２ローラ１０２を平行に配置して備え、この両ローラでローラ対を形成する。反射型スクリーン１００は、このローラ対に無端ベルト状のスクリーンベルト１１０を掛け渡し、ループ軌跡を形成する。この場合、ローラ対の上記各ローラに掛け渡されたスクリーンベルト１１０は、テンションローラ１０３によりテンションが掛けられ、第１ローラ１０１と第２ローラ１０２の間において、ほぼ垂直となるようにされており、この両ローラ間（ローラ対間）を動画像を表示するスクリーン領域ＳＫとする。プロジェクタ１０は、このスクリーン領域ＳＫに投写光を当てるよう、反射型スクリーン１００との位置が調整される。
【００２２】
また、反射型スクリーン１００は、駆動ローラである第２ローラ１０２の動力源となるモータ１０４と、当該モータを駆動制御する制御装置１０６を備える。この場合、モータ１０４は、パルスモータ或いは同期モータとして構成され、制御装置１０６からの制御信号を受けて回転し、第２ローラ１０２を図中に矢印で示す方向に回転させる。こうした第２ローラ１０２の回転駆動により、スクリーンベルト１１０は、図中下向きの矢印に示すように、ループ軌跡に沿ってスクリーン領域ＳＫの上端側から下端側に巻き取られる。
【００２３】
スクリーンベルト１１０は、引っ張り強度や耐摩耗性を備えると共に、ベルト表面、詳しくはプロジェクタ１０の側のベルト表面に到達した光（プロジェクタ１０の投写光）を反射する機能を発揮する。スクリーンベルト１１０は、上記したようにスクリーン領域ＳＫを形成することから、白地の無端ベルトとされている。上記した性質を発揮するため、スクリーンベルト１１０は、例えばポリエステル、ポリエーテル、ポリエチレン、ポリプロピレン、ポリアミド、ウレタン、フッ素樹脂、ポリアセタール等の合成樹脂に、白色剤を配合して形成される。或いは、機械的特性（引っ張り強度）に優れたガラスクロスやアラミドクロスを芯材にして、表面にフッ素樹脂コーティングを施すようにすることもできる。
【００２４】
スクリーンベルト１１０は、無端ベルトの幅方向に亘って帯状に形成された帯状域１１２と、この帯状域１１２を除く残余領域１１４とを備える。本実施例では、帯状域１１２は、スクリーンベルト１１０のループ軌跡において等間隔に２箇所形成されている。帯状域１１２は、黒色或いはこれに近似した色で着色された着色域でもあり、ベルト表面に到達した光（プロジェクタ１０の投写光）を吸収する機能を発揮する。その一方、残余領域１１４は、既述したように白色であることもあって、ベルト表面に到達した光（プロジェクタ１０の投写光）を反射する機能を発揮する。この場合、残余領域１１４は、反射機能により動画像を表示して当該画像を看者に視認させるべく、プロジェクタ１０の側の表面において光（反射光）の散乱をも起こし、この散乱により投写光の動画像を残余領域１１４の表面で結像（表示）する。帯状域１１２と残余領域１１４とが有する光に対する上記の性質から、スクリーンベルト１１０は、スクリーン領域ＳＫにおいて残余領域１１４が占める領域（光反射領域）で、プロジェクタ１０の投写光による動画像を表示させ、帯状域１１２が占める領域（光吸収領域）では動画像を表示しない。
【００２５】
このため、反射型スクリーン１００は、第２ローラ１０２の回転駆動を介したスクリーンベルト１１０の巻き取りにより、帯状域１１２が占める光吸収領域を、図２に示すように、スクリーン領域ＳＫの上端側から下端側に向けて移動させる。このように移動する光吸収領域は既述したように動画像を表示しない領域であり、動画像を表示しない領域が上下に移動しつつ、残余の領域では動画像の表示が行われることになる。つまり、動画像の表示領域であるスクリーン領域は、光吸収領域の移動に伴って走査されつつスクリーン全領域において光吸収領域となる。
【００２６】
次に、プロジェクタ１０との関係について説明する。反射型スクリーン１００が有する制御装置１０６は、プロジェクタ１０と接続されており、このプロジェクタ１０が映像信号の走査出力を行う際の垂直開始信号をプロジェクタ１０から入力し、この信号と同期したモータ１０４の回転制御、即ちスクリーンベルト１１０の巻き取り制御を行う。プロジェクタ１０は、プロジェクタ自身が有する図示しない画像表示装置（例えば液晶パネル等）にて、反射型スクリーン１００に投写すべき動画像を映像信号を走査出力してフレーム単位で生成する。そして、この画像表示装置に光源の光を当てて、画像表示装置の動画像をフレーム単位で投写光により反射型スクリーン１００に投写する。プロジェクタ１０は、上記した動画像生成と並行して、フレーム単位での画像生成タイミングに合致した垂直開始信号を生成出力するので、この垂直開始信号に同期させてスクリーンベルト１１０を巻き取ることで、図３に示すように、帯状域１１２は、スクリーン領域ＳＫにおいて垂直開始信号に同期して移動する。なお、制御装置１０６は、第２ローラ１０２の回転速度を検出するセンサ１３０からの入力を受けて第２ローラ１０２の実際の回転状況を把握し、垂直開始信号に同期して帯状域１１２を上下に移動させている。
【００２７】
この場合、プロジェクタ１０での垂直開始信号や垂直クロック信号に同期した映像信号の走査出力や、これによる投写動画像のフレーム単位での生成は、反射型スクリーン１００における上記した帯状域１１２の移動とは別に行っている。しかしながら、反射型スクリーン１００は、上記した垂直開始信号と同期したモータ制御、延いてはスクリーンベルト１１０の巻き取り制御を行うことで、帯状域１１２の移動を、フレーム単位の動画像の投写に合致させて行う。具体的には、フレーム画像がプロジェクタ１０においてｍ列の映像信号の走査出力により生成されるとすると、プロジェクタ１０がこのｍ列の映像信号を第１列から順次第ｍ列まで走査出力してこのフレーム画像の生成並びに反射型スクリーン１００への投写を行う間に、反射型スクリーン１００では、帯状域１１２がスクリーン領域ＳＫのスクリーン上段から下段に移動することになる。従って、フレーム画像の反射型スクリーン１００への投写の間において、帯状域１１２では画像の表示を行わないようにしつつ、帯状域１１２が占める光吸収領域を移動させ、スクリーン領域ＳＫにおいて残余領域１１４が占める残余の光反射領域では画像の表示を行うことになる。この光反射領域での画像表示(フレーム画像表示)は、移動する光吸収領域により表示が行われない画像領域以外の表示となるが、光反射領域は上記のように移動することから、フレーム画像の全領域は表示されて看者に視認されることとなる。
【００２８】
以上説明したように、本実施例の反射型スクリーン１００では、この反射型スクリーン１００へのプロジェクタ１０の既述したようなフレームごとの画像投写の間に、このフレーム画像の総てを看者に視認させつつ、当該フレーム画像の一部分の画像部分がフレーム画像で占める位置を帯状域１１２（光吸収領域）の移動により変えながら当該画像部分を看者に視認させないようにする。このため、本実施例の反射型スクリーン１００によれば、画像を視認している看者に当該画像が視認されないようにして網膜の残像を抑制することを、プロジェクタ１０の側での映像信号の走査出力と、これにより得られる動画像の投写光によるスクリーン投写とから別個に、反射型スクリーン１００の側で単独で達成できる。この結果、本実施例の反射型スクリーン１００は、プロジェクタ１０の動画像を反射型スクリーン１００に投写して表示する際の動画ボケ対処が可能な新たなスクリーンとなる。つまりは、動画ボケの抑制或いは解消による動画像表示品質の向上を図るに際し、既存のプロジェクタの改造や回路変更が不要とできるので、こうした既存のプロジェクタを用いても容易に動画表示品質を向上できる。また、プロジェクタの投写光に対しての帯状域１１２の上下移動（スクリーンベルト１１０の巻き取り）を反射型スクリーン１００の側で行えばよいことから、プロジェクタの側での動画像生成および投写光照射の方式に依存しないので、汎用性が高まる。
【００２９】
しかも、本実施例では、スクリーンベルト１１０をそのループ軌跡に沿って駆動（巻き取り）させるに当たり、プロジェクタ１０からの垂直同期信号の入力を受け、この信号に基づいてモータ１０４の回転制御を行い、帯状域１１２が占める光吸収領域を映像信号の走査出力に同期させて反射型スクリーン１００のスクリーン領域ＳＫにおいて移動させることとした。よって、フレームごとの画像推移の間に画像を表示しないようにして網膜の残像を抑制することの実効性が高まるので、動画像表示品質の向上の上で好ましい。
【００３０】
また、本実施例のスクリーンベルト１１０は、帯状域１１２をループ軌跡において等間隔に２箇所に備えるので、スクリーンベルト１１０を一定速度で駆動すれば、フレーム画像の表示期間ごとに帯状域１１２をスクリーン領域ＳＫで確実に移動できる。しかも、帯状域１１２を２箇所とした分、スクリーンベルト１１０の駆動速度（巻き取り速度）を低減しても、所定期間（例えば、フレーム画像の表示期間）ごとにスクリーン領域ＳＫでの帯状域１１２の移動を確保できるので、モータ１０４の負荷の軽減や消音化を図ることができる。
【００３１】
Ｂ：透過型スクリーンの態様；
次に、プロジェクタからの動画像を透過型のスクリーンで表示して看者に視認させるものについて説明する。図４は透過型スクリーン２００とこのスクリーンに投写するプロジェクタ１０とを併記して示す説明図、図５は透過型スクリーン２００とプロジェクタ１０とを筐体に内蔵したリアプロジェクタ３００の概略構成を示す説明図である。
【００３２】
図４に示す透過型スクリーン２００は、プロジェクタ１０を取り囲むようスクリーンベルト２０２のループ軌跡を形成する。つまり、透過型スクリーン２００は、第１ローラ１０１と第２ローラ１０２をプロジェクタ１０の前方に配置させ、プロジェクタ１０の後方に補助ローラ１０７、１０８を備え、これらローラにスクリーンベルト２０２を掛け渡している。スクリーンベルト２０２は、既述したスクリーンベルト１１０と同様、光吸収機能を発揮する帯状域１１２をループ軌跡において等間隔に備えるが、帯状域１１２と帯状域１１２との間の残余領域１１４については、光の透過機能を発揮するよう、透明とされている。これにより、図４に示す透過型スクリーン２００は、第１ローラ１０１と第２ローラ１０２との間のスクリーン領域ＳＫをプロジェクタ１０に対向させ、プロジェクタ１０からの投写光を、スクリーンを挟んでプロジェクタ１０と向き合う看者の側に透過させることで、動画像を看者に視認させる。看者は、透過型スクリーン２００の表面（詳しくは、光の透過面）に形成された画像を視認することになるので、透過型スクリーン２００は、透過面側において光を散乱させ、投写光の動画像を結像（表示）するよう、構成されている。
【００３３】
図５に示すリアプロジェクタ３００では、上記した透過型スクリーン２００を用いるものの、プロジェクタ１０に対する配置の様子が相違する。つまり、このリアプロジェクタ３００では、筐体３１０の傾斜した背面３１５の側に、プロジェクタ１０からの投写光を反射する反射ミラー２１０を配し、筐体３１０の前面の側に第１ローラ１０１と第２ローラ１０２を配置し、補助ローラ１０７〜１０９を筐体の後ろ側に配置する。これらローラにスクリーンベルト２０２を掛け渡すことで、スクリーンベルト２０２は、筐体３１０の前面の側においてスクリーン領域ＳＫを形成し、当該スクリーン領域を筐体３１０の前面の側で反射ミラー２１０に対向させる。この場合、スクリーンベルト２０２のループ軌跡は、プロジェクタ１０の下方と反射ミラー２１０の背面を通る軌跡となり、プロジェクタ１０から反射ミラー２１０に到る投写光の光路を遮らない軌跡となる。
【００３４】
この図５に示すリアプロジェクタ３００は、プロジェクタ１０からの投写光を反射ミラー２１０で全反射させた上で、その反射光を、その前方のスクリーンベルト２０２に到達させて、当該ベルトが形成するスクリーン領域ＳＫにて動画像を表示し、スクリーン前方の看者の側への光（反射光）の透過を図ることで、動画像を看者に視認させる。この場合であっても、スクリーンベルト２０２は、透過面側の散乱により投写光の動画像を結像（表示）する。
【００３５】
上記した透過型スクリーンの態様の透過型スクリーン２００やリアプロジェクタ３００であっても、既述したスクリーンベルト１１０と同様に、光吸収領域である帯状域１１２をスクリーン領域ＳＫにおいて移動する点で変わるものではない。
【００３６】
従って、透過型スクリーン２００やこれを有するリアプロジェクタ３００によっても、上記した反射型スクリーン１００と同様にして、光吸収領域の移動をフレーム単位の動画像の投写に合致させて透過型スクリーン２００の側で行う。このため、透過型スクリーン２００によっても、既述した効果を奏することができる。
【００３７】
以上、本発明の実施例について説明したが、本発明は、上記した実施の形態に限られるものではなく、その要旨を逸脱しない範囲において種々の態様にて実施することが可能である。例えば、光吸収領域である帯状域１１２の移動をプロジェクタ１０における映像信号の走査出力に同期させるに当たり、プロジェクタ１０から垂直開始信号を入力するようにしたが、次のようにすることもできる。つまり、動画像を投写するに当たってプロジェクタ１０に入力される映像信号を等価に分配する分配器（分配回路）を反射型スクリーン１００や透過型スクリーン２００に備え付け、分配して得られた映像信号から走査出力の状況を表す走査状況信号、即ち上記した垂直同期信号を作成し、この信号に基づいてモータ１０４の加点駆動制御、即ちスクリーンベルト１１０やスクリーンベルト２０２の巻き取り制御を行うようにできる。
【図面の簡単な説明】
【００３８】
【図１】本発明の一実施例としての反射型スクリーン１００とこのスクリーンに投写するプロジェクタ１０とを併記して示す説明図である。
【図２】反射型スクリーン１００に動画像を投写している使用状態の様子を示す説明図である。
【図３】プロジェクタ１０の映像信号の走査出力と反射型スクリーン１００の状態とを関連付けて示す説明図である。
【図４】透過型スクリーン２００とこのスクリーンに投写するプロジェクタ１０とを併記して示す説明図である。
【図５】透過型スクリーン２００とプロジェクタ１０とを筐体に内蔵したリアプロジェクタ３００の概略構成を示す説明図である。
【符号の説明】
【００３９】
１０…プロジェクタ
１００…反射型スクリーン
１０１…第１ローラ
１０２…第２ローラ
１０３…テンションローラ
１０４…モータ
１０６…制御装置
１０７〜１０９…補助ローラ
１１０…スクリーンベルト
１１２…帯状域
１１４…残余領域
１３０…センサ
２００…透過型スクリーン
２０２…スクリーンベルト
２１０…反射ミラー
３００…リアプロジェクタ
３１０…筐体
３１５…背面
ＳＫ…スクリーン領域
【図１】
2008083583.tif 000003
【図２】
2008083583.tif 000004
【図３】
2008083583.tif 000005
【図４】
2008083583.tif 000006
【図５】
2008083583.tif 000007